(57)【要約】【課題】定期的のみならず不定期に放送され、放送の内容に連続性あるいは関連性のあるシリーズ番組を精度良く検索できるようにする。【解決手段】情報処理装置は、番組判定の基準となる基準番組以降に放送される予定の放送番組に対して、第１基準を用いて、基準番組の放送内容と連続性又は関連性のある放送内容を持つシリーズ番組であるか否かの判定を行う第１判定手段と、シリーズ番組と判定された放送番組と同一曜日の同一時間に放送される予定の放送番組に対して、第２基準を用いて、シリーズ番組であるか否かの判定を連鎖的に行う第２判定手段と、を有する。【選択図】図１
2010239235.tif 000002
【特許請求の範囲】
【請求項１】
番組判定の基準となる基準番組以降に放送される予定の放送番組に対して、第１基準を用いて、前記基準番組の放送内容と連続性又は関連性のある放送内容を持つシリーズ番組であるか否かの判定を行う第１判定手段と、
前記シリーズ番組と判定された放送番組と同一曜日の同一時間に放送される予定の放送番組に対して、第２基準を用いて、前記シリーズ番組であるか否かの判定を連鎖的に行う第２判定手段と、
を有することを特徴とする情報処理装置。
【請求項２】
前記第２判定手段は、前記基準番組と同一曜日の同一時間に放送される予定の放送番組に対して、前記第２基準を用いて、前記シリーズ番組であるか否かの判定を行うことを特徴とする請求項１に記載の情報処理装置。
【請求項３】
前記第１基準は、放送番組情報に含まれるタイトル情報及びジャンル情報の一致であり、前記第２基準は、前記タイトル情報の一部及びジャンル情報の一致であることを特徴とする請求項１又は２に記載の情報処理装置。
【請求項４】
前記第１判定手段及び前記第２判定手段で前記シリーズ番組と判定された放送番組の録画予約を行う予約手段を有することを特徴とする請求項１から３のいずれか１項に記載の情報処理装置。
【請求項５】
コンピュータに、
番組判定の基準となる基準番組以降に放送される予定の放送番組に対して、第１基準を用いて、前記基準番組の放送内容と連続性又は関連性のある放送内容を持つシリーズ番組であるか否かの判定を行う第１判定処理と、
前記シリーズ番組と判定された放送番組と同一曜日の同一時間に放送される予定の放送番組に対して、第２基準を用いて、前記シリーズ番組であるか否かの判定を連鎖的に行う第２判定処理と、
を実行させることを特徴とするプログラム。
【請求項６】
前記第２判定処理は、前記基準番組と同一曜日の同一時間に放送される予定の放送番組に対して、前記第２基準を用いて、前記シリーズ番組であるか否かの判定を行うことを特徴とする請求項５に記載のプログラム。
【請求項７】
前記第１基準は、放送番組情報に含まれるタイトル情報及びジャンル情報の一致であり、記第２基準は、前記タイトル情報の一部及びジャンル情報の一致であることを特徴とする請求項５又は６に記載のプログラム。
【請求項８】
前記第１判定処理及び前記第２判定処理で前記シリーズ番組と判定された放送番組の録画予約を行う予約処理をコンピュータに実行させることを特徴とする請求項５から７のいずれか１項に記載のプログラム。
【請求項９】
番組判定の基準となる基準番組以降に放送される予定の放送番組に対して、第１基準を用いて、前記基準番組の放送内容と連続性又は関連性のある放送内容を持つシリーズ番組であるか否かの判定を行う第１判定ステップと、
前記シリーズ番組と判定された放送番組と同一曜日の同一時間に放送される予定の放送番組に対して、第２基準を用いて、前記シリーズ番組であるか否かの判定を連鎖的に行う第２判定ステップと、
を有することを特徴とする番組検索方法。
【発明の詳細な説明】
【技術分野】
【０００１】
本発明は、情報処理装置、プログラム及び番組検索方法に関し、特に、連続性や関連性が認められ、定期的のみならず不定期に放送される番組を録画予約する場合に好ましく適用される技術に関するものである。
【背景技術】
【０００２】
テレビ放送の番組には、単発で放送されるものもあるが、ドラマ、アニメーション、バラエティ番組等のように、四半期、１年、あるいはそれ以上に渡って、同じ曜日の同じ時間帯に毎週放送されるものも多い。また、大相撲や甲子園等のスポーツ中継や、歴史等を題材とした教養番組といった特集番組のように、番組個々には完結することはあるものの、一定期間に限って関連する内容の番組が連続して複数回放送されることもある。これら単発でない番組は、広い意味で放送の内容に連続性や関連性が認められ、同一のタイトルとして反復的に放送されることも多い。本明細書において、これら連続性や関連性の認められる番組をシリーズ番組と称する。
【０００３】
従来、シリーズ番組を録画するために、ユーザは毎日、毎週、曜日指定のいずれかの設定区分を選択し、選択した番組と同じ開始時刻及び終了時刻を指定して録画予約を行っていた。しかしながら、この方法では、野球中継の時間帯に放送されるドラマのように週によって放送されないあるいは時間帯がずれるシリーズ番組や、野球やサッカー等のスポーツ番組のようにまちまちの曜日や時間帯に放送されるシリーズ番組を高い精度で録画することが困難であった。
【０００４】
これに対して、例えば特許文献１では、録画あるいは録画予約された番組の放送内容と連続性のある放送内容の番組を、放送予定の番組情報から抽出して録画予約する機能を有する番組録画予約装置が開示されている。当該予約装置では、連続性のある番組かどうかの判定に、番組情報中のタイトル、連続フラグ、シリーズ番号を用いている。
【０００５】
また、例えば特許文献２では、変則的に放送されるシリーズ番組を録画する場合にも、誤録画や録画漏れを抑制できる番組記録装置が開示されている。当該記録装置は、録画した番組と略同一の番組タイトル名を電子番組表情報から検出し、検出した番組タイトル名の番組の放送日、放送開始時間、放送終了時刻を用いて録画予約情報を更新する。
【先行技術文献】
【特許文献】
【０００６】
【特許文献１】特開平１１−２５２４９４号公報
【特許文献２】特開２００８−２７１１１１号公報
【発明の概要】
【発明が解決しようとする課題】
【０００７】
特許文献１や特許文献２で開示された発明のように、ユーザが登録した番組タイトルと番組表の各番組のタイトルを比較し、一致するものをシリーズ番組として予約する場合、特定の放送回だけタイトルが変化している場合等に別番組と判定され、同一のシリーズ番組とみなされない可能性が高い。
【０００８】
また、特許文献１で開示された発明のように、番組情報に含まれる連続フラグやシリーズ番号を用いてシリーズ番組の判定を行うことは、実際のＥＰＧの運用状況から見ても困難である。ＥＰＧは、種類によって、同一の連続番組を識別するためのＩＤ（連続番組ＩＤ）を規定しているものもあり、毎週放送される連続番組を毎週予約する場合に、同一の連続番組ＩＤを検索することで、最新のＥＰＧから予約番組情報と同一の番組を検索することができる。しかし、実際のＥＰＧでは、連続番組ＩＤが運用されていない場合が多く、連続番組ＩＤを用いた番組検索は現実的ではない。
【０００９】
そこで、本発明は、定期的のみならず不定期に放送され、放送の内容に連続性あるいは関連性のあるシリーズ番組を精度良く検索できるようにすることを目的とする。
【課題を解決するための手段】
【００１０】
本発明の一側面である情報処理装置は、番組判定の基準となる基準番組以降に放送される予定の放送番組に対して、第１基準を用いて、基準番組の放送内容と連続性又は関連性のある放送内容を持つシリーズ番組であるか否かの判定を行う第１判定手段と、シリーズ番組と判定された放送番組と同一曜日の同一時間に放送される予定の放送番組に対して、第２基準を用いて、シリーズ番組であるか否かの判定を連鎖的に行う第２判定手段と、を有する。
【００１１】
本発明の一側面であるプログラムは、コンピュータに、番組判定の基準となる基準番組以降に放送される予定の放送番組に対して、第１基準を用いて、基準番組の放送内容と連続性又は関連性のある放送内容を持つシリーズ番組であるか否かの判定を行う第１判定処理と、シリーズ番組と判定された放送番組と同一曜日の同一時間に放送される予定の放送番組に対して、第２基準を用いて、シリーズ番組であるか否かの判定を連鎖的に行う第２判定処理と、を実行させる。
【００１２】
本発明の一側面である番組検索方法は、番組判定の基準となる基準番組以降に放送される予定の放送番組に対して、第１基準を用いて、基準番組の放送内容と連続性又は関連性のある放送内容を持つシリーズ番組であるか否かの判定を行う第１判定ステップと、シリーズ番組と判定された放送番組と同一曜日の同一時間に放送される予定の放送番組に対して、第２基準を用いて、シリーズ番組であるか否かの判定を連鎖的に行う第２判定ステップと、を有する。
【発明の効果】
【００１３】
本発明によれば、定期的のみならず不定期に放送され、放送の内容に連続性あるいは関連性のあるシリーズ番組を精度良く検索することが可能となる。
【図面の簡単な説明】
【００１４】
【図１】本発明の実施形態に係る情報処理装置のハードウエア構成図である。
【図２】本発明の実施形態に係る情報処理装置の機能ブロック図である。
【図３】本発明の実施形態における番組検索予約処理の流れを示したフローチャートである。
【図４】本発明の実施形態における番組検索処理（第１判定処理）の流れを示したフローチャートである。
【図５】本発明の実施形態における番組検索処理（第２判定処理）の流れを示したフローチャートである。
【図６】本発明の実施形態における予約条件更新処理の流れを示したフローチャートである。
【図７】本発明の実施形態におけるシリーズ番組判定を説明するための図である。
【図８】本発明の実施形態におけるシリーズ番組判定を説明するための図である。
【図９】本発明の実施形態におけるシリーズ番組判定を説明するための図である。
【図１０】本発明の実施形態におけるシリーズ番組判定を説明するための図である。
【発明を実施するための形態】
【００１５】
以下、図面を参照しながら、本発明の実施形態について説明する。なお、以下の述べる実施形態は、本発明の好適な実施の形態であるから、技術的に好ましい種々の限定が付されているが、本発明の範囲は、以下の説明において特に本発明を限定する旨の記載がない限り、これらの態様に限られるものではない。
【００１６】
はじめに、本発明の実施形態の情報処理装置の構成について説明する。図１は、本実施形態の情報処理装置のハードウエア構成図である。本実施形態の情報処理装置は、ＣＰＵ１、メモリ２、受信装置３、ハードディスク４、入力装置５、出力装置６を備える。ＣＰＵ１は、メモリ２に格納されたＯＳや本実施形態特有のプログラムに従って、情報処理装置の全体動作制御を行うとともに、シリーズ番組の検索及び予約を行う。メモリ２は、ＯＳや本実施形態特有のプログラムを格納する記憶領域（ＲＯＭ）、ＣＰＵ１の各種処理等で用いる作業用の記憶領域（ＲＡＭ）を持つ。受信装置３は、テレビ放送波を受信して該放送波から番組表データ（ＥＰＧ）を取得する。ハードディスク４は、各種データを保持する外部記憶装置で、放送番組情報データベース４１及び予約情報データベース４２を保持する領域を持つ。入力装置５は、ユーザによる操作情報の入力を行う装置である。出力装置６は、各種データの画面出力を行う装置である。
【００１７】
放送番組情報データベース４１は、受信装置３により取得された放送番組の番組表データ（ＥＰＧ）を保持するデータベースである。番組表データ（ＥＰＧ）は、受信装置３で取得されるごとに、放送番組情報データベース４１に蓄積されていく。予約情報データベース４２は、放送番組の録画予約に関するデータや、シリーズ番組の検索で用いる条件データ（後述するシリーズ予約条件に相当するデータ）を保持するデータベースである。この条件データは、デフォルトで設定してもあってもよいし、ユーザ側で任意に変更できるようにしてもよく、検索処理を行うたびに更新される。なお、本実施形態では、放送番組情報データベース４１及び予約情報データベース４２はハードディスク３の記憶領域を用いて構成するものとしているが、これに限られるものではなく、メモリ２（ＲＡＭ）内に設けるようにしてもよい。
【００１８】
図２は、本実施形態の情報処理装置の機能ブロック図である。本実施形態の情報処理装置は、ＣＰＵ１がメモリ２に格納された本実施形態特有のプログラムを読み込んで、シリーズ番組の検索や検索した番組の予約、また予約情報の管理を行うための機能部である制御部１０を構成する。制御部１０は、シリーズ番組判定手段１１、予約手段１２、予約情報管理手段１３を論理的に有する。なお、これらの各手段を回路で構成する等してハードウエアで実現することも可能である。
【００１９】
シリーズ番組判定手段１１は、ユーザが指定する予約番組（基準番組）以外の放送番組（該基準番組の前後で放送される予定の放送番組）に対して、第１基準を用いて、基準番組のシリーズ番組であるか否かの判定する第１判定と、シリーズ番組と判定された放送番組と同一曜日の同一時間に放送される予定の放送番組に対して、第２基準を用いて、基準番組のシリーズ番組であるか否かを連鎖的に判定する第２判定と、を行う。予約手段１２は、シリーズ番組判定手段１１でシリーズ番組と判定された放送番組の録画予約を行う。予約情報管理手段１３は、シリーズ番組判定手段１１でのシリーズ番組判定の結果をもとに、予約情報データベース３２内のシリーズ番組検索条件を更新する。
【００２０】
次に、本実施形態の情報処理装置が行う動作について説明する。図３は、本実施形態における番組検索及び番組予約の処理の流れを示したフローチャートである。まず、シリーズ番組判定手段１２は、シリーズ予約条件を予約情報データベース４２から読み込んで取得する（ステップＳ１０）。シリーズ予約条件は、シリーズ番組判定処理（後述する第１判定処理及び第２判定処理）で用いる判定基準と、録画あるいは録画予約した番組の曜日、時間帯とを、シリーズ番組を識別するためのシリーズＩＤを用いて関連付けた情報である。
【００２１】
次に、取得したシリーズ予約条件を用いて第１判定処理を行う（ステップＳ２０）。第１判定処理は、図４に示すフローに従ってシリーズ番組の判定が行われる。すなわち、判定の基準となる放送番組と判定の対象となる放送番組の放送局、ジャンル、タイトルが一致する場合（ステップＳ２１／ＹＥＳ、ステップＳ２２／ＹＥＳ、ステップＳ２３／ＹＥＳ）に、判定対象の放送番組を判定基準の放送番組のシリーズ番組と判定する（ステップＳ２４）。放送局、ジャンル、タイトルが１つでも一致しない場合（ステップＳ２１／ＮＯ、ステップＳ２２／ＮＯ、ステップＳ２３／ＮＯ）には、判定対象の放送番組を判定基準の放送番組のシリーズ番組でないと判定する（ステップＳ２５）。
【００２２】
そして、シリーズ番組判定手段１１は、第１判定処理でシリーズ番組と判定された放送番組を放送番組情報データベース４１から抽出する（ステップＳ３０）。これらの処理（第１判定処理（ステップＳ２０）、放送番組抽出処理（ステップＳ３０））を全ての時間帯について行う（ステップＳ４０／ＮＯ）。
【００２３】
ここで、第１判定処理における判定対象の放送番組は、判定基準の放送番組以外の番組表データ（ＥＰＧ）における全ての時間帯の放送番組である。判定基準の放送番組が番組表データ（ＥＰＧ）の最初の時間帯の番組であれば、判定対象の放送番組は、判定基準の放送番組以降に放送される予定の放送番組となる。また、判定基準の放送番組が番組表データ（ＥＰＧ）の途中の時間帯の番組であれば、判定対象の放送番組は、判定基準の放送番組以降に放送される予定の放送番組のみならず、判定基準の放送番組以前に放送される予定の放送番組も含まれることになる。
【００２４】
第１判定処理（ステップＳ２０）、放送番組抽出処理（ステップＳ３０））を全時間帯について行った後（ステップＳ４０／ＹＥＳ）、シリーズ番組判定手段１１は、シリーズ番組と判定された放送番組と同一曜日、同一時間帯に放送される予定の放送番組で、シリーズ番組として抽出されていない放送番組について第２判定処理を行う（ステップＳ５０／ＹＥＳ、ステップＳ６０）。
【００２５】
なお、ステップＳ５０で説明したシリーズ番組と判定された放送番組は、第１判定処理でシリーズ番組と判定された放送番組のみならず、第２判定処理でシリーズ番組と判定された放送番組も含む。すなわち、第２判定処理における判定対象の放送番組は、第２判定処理の直近で行われた第１判定処理でシリーズ番組と判定された放送番組と同一曜日、同一時間帯に放送される予定の放送番組、及び、過去の第１判定処理や第２判定処理でシリーズ番組と判定された放送番組と同一曜日、同一時間帯に放送される予定の放送番組で、シリーズ番組として抽出されていない放送番組である。
【００２６】
第２判定処理は、図５に示すフローに従ってシリーズ番組の判定が行われる。すなわち、判定の基準となる放送番組と判定の対象となる放送番組のジャンル、タイトルの先頭２文字が一致する場合（ステップＳ６１／ＹＥＳ、ステップＳ６２／ＹＥＳ）に、判定対象の放送番組を判定基準の放送番組のシリーズ番組と判定する（ステップＳ６３）。ジャンル、タイトルの先頭２文字が１つでも一致しない場合（ステップＳ６１／ＮＯ、ステップＳ６２／ＮＯ）には、判定対象の放送番組を判定基準の放送番組のシリーズ番組でないと判定する（ステップＳ６４）。
【００２７】
第２判定処理について補足して説明する。上述した図５のフローの説明では、第１判定処理によるシリーズ番組判定結果を受け、前提として、第２判定処理における判定対象の放送番組を、判定基準の放送番組と同一放送局で放送される予定の放送番組としている。このため、図５のフローでは、放送局の一致判定は行っておらず、ジャンル、タイトルの先頭２文字の一致判定のみとしている。上記処理以外のやり方として、第２判定処理における判定対象の放送番組を、第１判定処理と同様に、番組表データ（ＥＰＧ）における全ての時間帯の放送番組とし、これらの放送番組に対して、放送局、ジャンル、タイトルの先頭２文字の一致判定を行うようにすることももちろん可能である。
【００２８】
そして、シリーズ番組判定手段１１は、第１判定処理の場合と同様に、第２判定処理でシリーズ番組と判定された放送番組を放送番組情報データベース４１から抽出する（ステップＳ７０）。これらの処理（第２判定処理（ステップＳ６０）、放送番組抽出処理（ステップＳ７０））を、シリーズ番組と判定された放送番組の放送曜日、放送時間帯と同一の曜日、時間帯全てについて行う（ステップＳ８０／ＮＯ）。
【００２９】
そして、予約手段１２は、保持する放送番組情報の全ての時間帯でシリーズ番組判定が行われ、シリーズ番組として抽出された放送番組の録画予約を行う（ステップＳ９０）。なお、録画予約が行われた後、予約情報管理手段１３により、放送番組と放送日時の情報がシリーズＩＤと関連付けられて予約情報データベース４２に書き込まれる。ここでのシリーズＩＤは、上述したＥＰＧの連続番組ＩＤとは異なり、シリーズ番組判定の結果として、録画予約後に付される識別情報である。また、シリーズＩＤは、上述したようにシリーズ予約条件に含まれるため、録画予約された放送番組から該番組の判定で用いたシリーズ予約条件と検索することが可能である。
【００３０】
本実施形態では、上述したように、番組表データにおける放送番組に対して、より厳格な基準を用いてシリーズ番組判定を行う第１判定処理と、より緩和された基準を用いてシリーズ番組判定を行う第２判定処理の２段階のシリーズ番組判定を行う。第１判定処理を全ての時間帯について行うことで、定期的のみならず不定期に放送されるシリーズ番組を補足する。また、シリーズ番組と判定された放送番組と同一曜日、同一時間帯に放送される放送番組に対して第２判定処理を行うことで、特定の放送回だけタイトルが変更しているような場合にも確実にシリーズ番組を補足できるようにしている。
【００３１】
第２判定処理で判定基準を緩和しているのは、より厳格な基準でシリーズ番組と判定された放送番組と同一曜日、同一時間帯に放送される放送番組はシリーズ番組である可能性が高いと推測されることから、同一曜日、同一時間帯の放送番組をシリーズ番組として確実に補足するためである。また、第２判定処理は、一度シリーズ番組と判定された放送番組と同一曜日、同一時間帯の放送番組に対して連鎖的に行っていくため、シリーズ番組判定を行うたびに第２判定処理の対象領域が拡大していくことになり、より確実なシリーズ番組の補足が可能となる。なお、上記のシリーズ番組判定処理とは逆に、より緩和された基準による判定処理を第１判定処理とし、より厳格な基準による判定処理を第２判定処理とするように構成してもよい。
【００３２】
図６は、本実施形態における予約条件更新処理の流れを示したフローチャートである。シリーズ予約条件は、以下のようにして、シリーズ番組判定が行われるたびにその内容が更新される。まず、予約情報管理手段１３は、シリーズ予約条件を予約情報データベース４２から読み込む（ステップＳ１０１）。次いで、予約情報管理手段１３は、録画あるいは録画予約した放送番組と同じシリーズＩＤを持つシリーズ予約条件を抽出する（ステップＳ１０２）。続いて、予約情報管理手段１３は、抽出したシリーズ予約条件に、録画あるいは録画予約した放送番組の曜日、放送時間の情報を追加する（ステップＳ１０３）。そして、予約情報管理手段１３は、情報を追加したシリーズ予約条件を予約情報データベース４２に書き込む（ステップＳ１０４）。
【００３３】
本実施形態におけるシリーズ番組判定の具体例について図７から図１０を参照して説明する。図７は、判定基準２（より緩和された基準）で判定してもよい範囲の学習例を示したものである。例えば、３／５（木）１５：００〜１５：３０に放送される「ＨＥＲＯ＃１」をシリーズ番組の基準番組として選択して録画あるいは録画予約を行うとする。まず、全ての時間帯について判定基準１（より厳格な基準）による番組判定（第１判定処理）を行い、判定結果として、「ＨＥＲＯ＃２」〜「ＨＥＲＯ＃１０」がシリーズ番組と判定され、録画予約が行われる。
【００３４】
そして、シリーズ番組と判定された放送番組と同一曜日、同一時間帯が、判定基準２で判定してもよい範囲として、シリーズ予約条件に追加される。以後、判定基準２で判定してもよい範囲として追加された曜日、時間帯に放送される放送番組については、判定基準２を適用してシリーズ番組判定（第２判定処理）が行われる。判定基準２で判定してもよい範囲は、第１判定処理や第２判定処理でシリーズ番組と判定された曜日、時間帯が追加されていくため、シリーズ番組判定を行うごとに拡大していく。
【００３５】
図８は、毎週放送の番組に対してシリーズ番組判定を行った例で、番組名が異なっていた場合を示したものである。例えば、３／１１（水）２３：００〜２３：３０に放送される「グータンヌーボー」をシリーズ番組の基準番組として選択して録画あるいは録画予約を行うとする。まず、全ての時間帯について判定基準１による番組判定（第１判定処理）を行うが、判定基準１を満たしていないため、第１判定処理ではシリーズ番組と判定されない。次いで、基準番組と同一曜日、同一時間帯の放送番組「グータン」に対して、判定基準２による番組判定（第２判定処理）が行われ、ここでシリーズ番組と判定されて録画予約が行われる。
【００３６】
図９は、毎日放送している番組に対してシリーズ番組判定を行った例で、番組名が同一のものと異なっているものが混在している場合を示したものである。例えば、３／１６（月）１３：００〜１３：３０に放送される「ごきげんよう」をシリーズ番組の基準番組として選択して録画あるいは録画予約を行うとする。まず、全ての時間帯について判定基準１による番組判定（第１判定処理）を行い、判定結果として、３／１７（火）〜３／１９（木）、３／２５（水）、３／２６（木）の「ごきげんよう」がシリーズ番組と判定され、録画予約が行われる。そして、火曜〜木曜の１３：００〜１３：３０が第２判定処理の対象範囲に追加される。なお、この対象範囲には基準番組が放送される月曜は含まれている。続いて、月曜と火曜の１３：００〜１３：３０に放送される放送番組「ごきげん」に対して、判定基準２による番組判定（第２判定処理）が行われ、ここでシリーズ番組と判定されて録画予約が行われる。
【００３７】
図１０は、様々な時間帯に放送される番組に対してシリーズ番組判定を行った例である。例えば、３／５（木）６：３０〜６：５５に放送される「ブランディ＃１６」をシリーズ番組の基準番組として選択して録画あるいは録画予約を行うとする。まず、全ての時間帯について判定基準１による番組判定（第１判定処理）を行い、判定結果として、「ブランディ＃１０」、「ブランディ＃２」、「ブランディ＃３」、「ブランディ＃１」、「ブランディ＃１１」、「ブランディ＃４」、「ブランディ＃５」、「ブランディ＃２４」、「ブランディ＃２５」がシリーズ番組と判定され、録画予約が行われる。そして、シリーズ番組と判定された放送番組と同一曜日、同一時間帯が、判定基準２で判定してもよい範囲として、シリーズ予約条件に追加される。
【００３８】
上述した本実施形態によれば、最初により厳格な判定基準を適用してシリーズ番組判定を行い、そこでシリーズ番組と判定された放送番組が放送される同一曜日、同一時間帯に放送される放送番組に対して、より緩和された判定基準を適用してシリーズ番組判定を行うため、ランダムなシリーズ番組の出現にも対応しながら、シリーズ番組の補足精度を向上させることが可能である。
【００３９】
例えば、放送時間が３０分から１時間ずれて、かつ、タイトルも変更しているような場合（アニメーション等に多い）に、全体の編成は変わっていないが対象番組のタイトルと放送時間帯が変わっているだけなのか、番組編成変更時期の特集番組のように全体の編成が変わっているのか、を判別する精度を上げることができる。
【００４０】
なお、上述する実施形態は、本発明の好適な実施形態であり、上記実施形態のみに本発明の範囲を限定するものではなく、本発明の要旨を逸脱しない範囲において種々の変更を施した形態での実施が可能である。すなわち、発明は、情報処理装置として、ＰＣのほか、携帯電話機、ＰＤＡ等にも適用することが可能である。
【００４１】
また、本実施形態における情報処理装置で実行されるプログラムは、先に述べた各手段（シリーズ番組判定手段１１、予約手段１２、予約情報管理手段１３）を含むモジュール構成となっており、実際のハードウエアを用いて具体的手段を実現する。すなわち、コンピュータ（ＣＰＵ）が所定の記録媒体からプログラムを読み出して実行することにより上記各手段が主記憶装置上にロードされて生成される。また、上記各部に相当する手段を回路で構成する等してハードウエアで実現することも可能である。
【００４２】
本実施形態における情報処理装置で実行されるプログラムは、インターネット等のネットワークに接続されたコンピュータ上に格納され、ネットワーク経由でダウンロードさせることにより提供されるように構成してもよい。また、上記プログラムをインターネット等のネットワーク経由で提供あるいは配布するように構成してもよい。
【００４３】
また、上記プログラムは、インストール可能な形式又は実行可能な形式のファイルで、フロッピー（登録商標）ディスク、ハードディスク、光ディスク、光磁気ディスク、ＣＤ−ＲＯＭ、ＣＤ−Ｒ、ＤＶＤ、不揮発性のメモリカード等のコンピュータで読み取り可能な記録媒体に記録されて提供されるように構成してもよい。また、上記プログラムは、ＲＯＭ等にあらかじめ組み込んで提供するように構成してもよい。
【００４４】
この場合、上記記録媒体から読み出された又は通信回線を通じてロードし実行されたプログラムコード自体が前述の実施形態の機能を実現することになる。そして、そのプログラムコードを記録した記録媒体は本発明を構成する。
【符号の説明】
【００４５】
１    ＣＰＵ
２    メモリ
３    受信装置
４    ハードディスク
５    入力装置
６    出力装置
１０    制御部
１１    シリーズ番組判定手段
１２    予約手段
１３    予約情報管理手段
４１    放送番組情報データベース
４２    予約情報データベース
【図１】
2010239235.tif 000003
【図２】
2010239235.tif 000004
【図３】
2010239235.tif 000005
【図４】
2010239235.tif 000006
【図５】
2010239235.tif 000007
【図６】
2010239235.tif 000008
【図７】
2010239235.tif 000009
【図８】
2010239235.tif 000010
【図９】
2010239235.tif 000011
【図１０】
2010239235.tif 000012